(57)【特許請求の範囲】
【請求項１】
電線の端末部に接続された端子金具が収容されるキャビティを有するハウジングと、
前記ハウジングの一面側に開口する組付部に組み付けられる電線保持部材と、を有し、
前記電線保持部材が、前記キャビティを幅方向に横切る本体部と、前記本体部から前記ハウジングへの組み付け方向に延出する一対の係止アームと、を有し、
前記一対の係止アームの内側には、前記ハウジングの外面のうち前記一面側とは反対の他面側に係止する係止部が突出して設けられ、
前記一対の係止アームが、前記ハウジングへの組み付け途中では外側に弾性撓みし、組み付け完了時には内側に弾性復帰するものとされ、
前記ハウジングが、前記係止アームの弾性撓みを許容する撓み許容窓を有して、前記係止アームの外側に位置する外壁部を備えているコネクタ。
【請求項２】
電線の端末部に接続された端子金具が収容されるキャビティを有するハウジングと、
前記ハウジングの一面側に開口する組付部に組み付けられる電線保持部材と、を有し、
前記電線保持部材が、前記キャビティを幅方向に横切る本体部と、前記本体部から前記ハウジングへの組み付け方向に延出する一対の係止アームと、を有し、
前記一対の係止アームの内側には、前記ハウジングの外面のうち前記一面側とは反対の他面側に係止する係止部が突出して設けられ、
前記ハウジングが、前記電線保持部材の組み付け途中においては前記係止部を前記他面側から覆い、前記電線保持部材の組み付け完了時においては前記係止部を前記他面側に開放する覆壁部を有しているコネクタ。
【請求項３】
前記ハウジングが、前記キャビティのうち前記電線保持部材の本体部と対向する面に、凹凸形状をなす凹凸部を有している請求項１または請求項２に記載のコネクタ。
【請求項４】
前記電線保持部材が、前記本体部のうち前記キャビティに臨む面に設けられた弾性部を有している請求項１ないし請求項３のいずれか一項に記載のコネクタ。
【請求項５】
前記電線保持部材が、前記電線を押さえる押え部を有し、
前記押え部が、前記キャビティと前記押え部とにより前記電線を包み込むような形状をなしている請求項１ないし請求項４のいずれか一項に記載のコネクタ。
【発明の詳細な説明】
【技術分野】
【０００１】
本発明は、コネクタに関する。
【背景技術】
【０００２】
従来、電線の端末部に接続された端子金具が収容されるハウジングに、電線の動きを抑制する電線保持部材が組み付けられているコネクタが知られている。例えば下記特許文献１に記載されたコネクタの電線保持部材は、並設された複数のキャビティを幅方向に横切る本体部と、本体部からハウジングへの組み付け方向に延出する一対の係止アームとを有している。電線保持部材は、ハウジングの上面側に組み付けられるものであり、ハウジングには、電線保持部材が組み付けられる連通空間が形成されている。連通空間の左右両面には、一対の係止アームに設けられた係止突起が係止可能な本係止用突起が突設されている。電線保持部材を連通空間内に差し込むと、一対の係止アームが連通空間の左右両側面に接触して内側に弾性撓みし、組み付け完了時には外側に弾性復帰して本係止突起に係止するようになっている。
【先行技術文献】
【特許文献】
【０００３】
【特許文献１】特許第４８９３４５２号公報
【発明の概要】
【発明が解決しようとする課題】
【０００４】
しかしながら、上記のような構成では、本係止突起がハウジングの内面に形成されているので、係止突起と本係止突起とが正規の係止状態に至っているかを確認し難いという問題がある。また、電線が引き上げられて電線保持部材の本体部に上向きの力が加わると、一対の係止アームが内側へ変位し、係止突起が本係止突起から外れてしまう虞を生じる。
【０００５】
本発明は上記のような事情に基づいて完成されたものであって、電線保持部材とハウジングとの係止状態を容易に確認することができ、またハウジングに対する電線保持部材の係止力を向上することが可能なコネクタを提供することを目的とする。
【課題を解決するための手段】
【０００６】
本発明のコネクタは、電線の端末部に接続された端子金具が収容されるキャビティを有するハウジングと、前記ハウジングの一面側に開口する組付部に組み付けられる電線保持部材と、を有し、前記電線保持部材が、前記キャビティを幅方向に横切る本体部と、前記本体部から前記ハウジングへの組み付け方向に延出する一対の係止アームと、を有し、前記一対の係止アームの内側には、前記ハウジングの外面のうち前記一面側とは反対の他面側に係止する係止部が突出して設けられているものである。
【発明の効果】
【０００７】
本発明によれば、電線保持部材の係止部がハウジングの外面に係止するから、電線保持部材とハウジングとの係止状態を視認しやすい。また、係止部が一対の係止アームの内側に突出しているから、電線保持部材の本体部に組み付け方向と逆向きの力が加わって一対の係止アームが内側へ変位しても、係止部が外れる虞が無い。
【図面の簡単な説明】
【０００８】
【図１】実施例１におけるコネクタを示す斜視図
【図２】コネクタを示す側面図
【図３】コネクタを示す平面図
【図４】コネクタを示す断面図
【図５】電線保持部材を示す斜視図
【図６】電線保持部材を示す正面図
【図７】電線保持部材が組み付け途中にある状態のコネクタを示す斜視図
【図８】電線保持部材が組み付け途中にある状態のコネクタを示す底面図
【図９】電線保持部材が組み付け途中にある状態のコネクタを示す断面図
【図１０】電線保持部材の組み付けが完了した状態のコネクタを示す底面図
【図１１】電線保持部材の組み付けが完了した状態のコネクタを示す断面図
【図１２】実施例２におけるコネクタを示す断面図
【図１３】実施例３におけるコネクタを示す断面図
【図１４】実施例４におけるコネクタを示す断面図
【図１５】実施例５におけるコネクタを示す断面図
【発明を実施するための形態】
【０００９】
本発明の好ましい形態を以下に示す。
【００１０】
本発明のコネクタは、前記一対の係止アームが、前記ハウジングへの組み付け途中では外側に弾性撓みし、組み付け完了時には内側に弾性復帰するものとされ、前記ハウジングが、前記係止アームの弾性撓みを許容する撓み許容窓を有して、前記係止アームの外側に位置する外壁部を備えているものとしてもよい。
【００１１】
このような構成によれば、電線保持部材の組み付け途中には係止アームが撓み許容窓に入って弾性撓みし、組み付け完了時には係止アームが弾性復帰して外壁部の内側に位置するから、係止アームが外側に剥き出しになることを防いで、係止アームを保護することができる。
【００１２】
また、本発明のコネクタは、前記ハウジングが、前記電線保持部材の組み付け途中においては前記係止部を前記他面側から覆い、前記電線保持部材の組み付け完了時においては前記係止部を前記他面側に開放する覆壁部を有しているものとしてもよい。
【００１３】
このような構成によれば、電線保持部材の組み付け途中では係止部が覆壁部に隠れ、組み付け完了時には係止部が覆壁部に隠れないで他面側から見えるから、係止部が他面側から見えるか否かで、係止部の係止状態を容易に確認することができる。
【００１４】
また、本発明のコネクタは、前記ハウジングが、前記キャビティのうち前記電線保持部材の本体部と対向する面に、凹凸形状をなす凹凸部を有しているものとしてもよい。このような構成によれば、凹凸部の突部が電線の絶縁被覆に食い込んだ状態になるので、電線の動きを確実に規制することができる。
【００１５】
また、本発明のコネクタは、前記電線保持部材が、前記本体部のうち前記キャビティに臨む面に設けられた弾性部を有しているものとしてもよい。このような構成によれば、弾性部が強い摩擦力を生じることによって、電線の動きをより確実に規制することができる。
【００１６】
また、本発明のコネクタは、前記電線保持部材が、前記電線を包み込むような形状をなして前記電線を押さえる押え部を有しているものとしてもよい。このような構成によれば、押え部が、幅方向に電線を抑え込むことによって、電線の動きをより確実に抑制することができる。
【００１７】
＜実施例１＞
以下、本発明を具体化した一実施例について、図１〜図１１を参照しつつ詳細に説明する。
本実施例におけるコネクタＣは、電線Ｗの端末部に接続された端子金具１０が収容されるハウジング２０と、ハウジング２０に組み付けられて電線Ｗの動きを抑制する電線保持部材４０とを備えている。端子金具１０は、図４に示すように、前後方向に細長く、略前半部分が相手側端子金具Ｔが接続される端子接続部１１とされ、略後半部分が電線Ｗの端末部に圧着されるオープンバレル状の電線接続部１２とされている。
【００１８】
以下、各構成部材において、図１における左下側（コネクタＣの図示しない相手側コネクタとの嵌合面側）を前方、右上側を後方とし、図１における上側（電線保持部材４０が組み付けられる側）を上方、下側を下方として説明する。
【００１９】
ハウジング２０は、合成樹脂製であって、端子金具１０が個別に収容されるキャビティ２１が設けられた端子収容部２２を備えている。端子収容部２２は、扁平なブロック形状をなし、複数室（本実施例では３室）のキャビティ２１が幅方向に並んで設けられている。キャビティ２１は、前後方向に細長く、端子金具１０が後方から挿入されるようになっている。キャビティ２１に端子金具１０が正規挿入された状態では、電線Ｗはキャビティ２１の後部に配される（図４参照）。端子収容部２２の上面には、コネクタ同士をロックするためのロックアーム２３が、前後方向に延びて設けられている。
【００２０】
端子収容部２２の後端部（ロックアーム２３よりも後側の部分）には、電線保持部材４０が組み付けられる組付部２４が設けられている。組付部２４は、端子収容部２２の上面側に開口するとともに全てのキャビティ２１に連通して形成されている。組付部２４は、電線保持部材４０が上方から下方へ押し込まれて組み付けられる空間を有する。
【００２１】
組付部２４の幅方向における両端部には、図１及び図２に示すように、電線保持部材４０の両外側に位置する外壁部２５および下側に位置する覆壁部２６が設けられている。外壁部２５および覆壁部２６については、後ほど詳しく説明する。
【００２２】
電線保持部材４０は、ハウジング２０の上面（一面）側に組み付けられるものである。電線保持部材４０は、図１１に示すように、キャビティ２１を幅方向に横切る本体部４１と、本体部４１からハウジング２０への組み付け方向に延出する一対の係止アーム４２とを有している。
【００２３】
本体部４１の上面には、複数（本実施例では左右一対）のリブ４３が突出形成されている。リブ４３は、本体部４１の幅方向における中心を基準にして左右対称に設けられている。
【００２４】
本体部４１の左右両端部には、電線保持部材４０の組付部２４への押し込み動作を制限するストッパ部４４が設けられている。ストッパ部４４は、本体部４１の上面から上方へ立ち上がるとともに、本体部４１から幅方向の外側へ突出している。
【００２５】
本体部４１の下面には、電線Ｗを押さえる押え部４５が設けられている。押え部４５は、各キャビティ２１と個別に対応して複数が本体部４１の下面に突出形成されている。複数の押え部４５のうち幅方向の中心に位置する押え部４５は、上面側に形成された一対のリブ４３の間に位置し、両側に位置する押え部４５は、リブ４３と一部が重なりつつリブ４３よりも外側に位置している。
【００２６】
各押え部４５の下面には、図４に示すように、凹凸形状をなして電線Ｗに食い込む押圧部４６が形成されている。押圧部４６は、前後方向に交互に連続して形成された複数の山部４６Ａと谷部４６Ｂとを有している。各山部４６Ａは、側方から見て三角形状をなしている。
【００２７】
一対の係止アーム４２は、図６に示すように、本体部４１から片持ち状をなして下方へ延出している。一対の係止アーム４２は、ハウジング２０への組み付け途中においては、図９に示すように、ハウジング２０に当接して外側に弾性撓みし、組み付け完了時には、図１１に示すように、内側に弾性復帰してハウジング２０に係止するものとされている。一対の係止アーム４２は、ハウジング２０の端子収容部２２の両側を挟み込み可能とされている。
【００２８】
一対の係止アーム４２の内側には、図１１に示すように、ハウジング２０に係止する係止部４７が設けられている。係止部４７は、係止アーム４２の下端部に設けられ、内方（一対の係止アーム４２の対向方向）に突出している。一対の係止部４７は、ハウジング２０の下面側（外面のうち一面側とは反対側の他面側）に係止するようになっている。係止部４７の下面には傾斜面４８が形成され、上面には、ハウジング２０の下面に係止する係止面４９が形成されている。
【００２９】
ハウジング２０の下面には、電線保持部材４０の係止部４７が外側から入り込み可能な段差部２７が設けられている。段差部２７は、端子収容部２２の幅方向における両端角部（キャビティ２１の下壁の両端角部）に凹み形成されている。段差部２７は、略方形断面をなしている。段差部２７の上下方向の寸法は、係止部４７の上下方向の寸法と同等とされている。
段差部２７の上面には、係止部４７が係止する係止受け部２８が設けられている。係止受け部２８は、上下方向に対して略直角をなす面とされている。
【００３０】
ハウジング２０は、係止アーム４２の外側に位置する外壁部２５を備えている（図１参照）。外壁部２５は、係止アーム４２の弾性撓みを許容する撓み許容窓３１の全周を囲う略方形の枠状をなしている。
【００３１】
外壁部２５は、撓み許容窓３１の上側に前後方向に掛け渡されている上枠部３２と、上枠部３２の前後両端部から下方に延びている前後一対の縦枠部３３と、前後一対の縦枠部３３の下端部を連結している下枠部３４とを備えている。なお、下枠部３４の下面には、後端から前方に向かって次第に下枠部３４の上下方向の寸法が増すように傾斜した傾斜部３６が形成されている。
【００３２】
上枠部３２の上面には、電線保持部材４０の組み付け完了時に、ストッパ部４４が上方から当接するようになっている。上枠部３２の前後両側には、一対の立設部３５が上方へ突出して設けられている。一対の立設部３５は、図２に示すように、上枠部３２の上面に係止したストッパ部４４の上面と同等の高さ位置まで立ち上っている。
【００３３】
撓み許容窓３１は、図２に示すように、上下方向に若干長い略方形状をなして外壁部２５の内外両側に開口している。撓み許容窓３１の前後方向の寸法は、係止アーム４２の前後方向の寸法と同等とされ、前後一対の縦枠部３３が、係止アーム４２の前縁および後縁に沿って配される。撓み許容窓３１は、段差部２７を含む端子収容部２２の側面の下端にわたって開口している。
【００３４】
ハウジング２０は、係止アーム４２の下側に位置する覆壁部２６を有している。覆壁部２６は、図９に示すように、電線保持部材４０の組み付け途中においては係止部４７を下面側（他面側）から覆い、図１１に示すように、組み付け完了時においては係止部４７を下面側（他面側）に開放するようになっている。
【００３５】
覆壁部２６は、外壁部２５の下枠部３４によって構成されている。覆壁部２６は、ハウジング２０の端子収容部２２の側面から外壁部２５の外面に至る幅寸法を有している。ハウジング２０の係止受け部２８は、覆壁部２６の内側にずれて配され、図８に示すように、電線保持部材４０が正規の組み付け状態にない場合には、係止受け部２８の全体が下方に露出する。
【００３６】
次に、電線保持部材４０をハウジング２０に組み付ける作業の一例を説明する。
全ての端子金具１０を端子収容部２２に収容した後、電線保持部材４０を上方から組付部２４に差し入れる。すると、図９に示すように、係止部４７が端子収容部２２の上端角部に当接して係止アーム４２が斜め姿勢に弾性撓みし、係止アーム４２の係止部４７が端子収容部２２の側面に乗り上がって外側に変位し、ストッパ部４４が内側に変位する。このような電線保持部材４０の組み付け途中においては、係止部４７および係止アーム４２は、撓み許容窓３１に入り込んだ状態になり、コネクタＣを下方から見たときには、図８に示すように、覆壁部２６に隠れて見えないようになっている。
【００３７】
電線保持部材４０を組付部２４にさらに侵入すると、図４に示すように、押え部４５がキャビティ２１の下面との間で電線Ｗを挟み付けて、押圧部４６が電線Ｗの絶縁被覆に食い込み、この食い込み作用によって電線Ｗの前後方向への移動が制限される。このときの押圧部４６の食い込み深さは、絶縁被覆が破れない程度の寸法に設定されている。
【００３８】
また、図１１に示すように、係止部４７が段差部２７の位置に至って段差部２７に入り込み、係止アーム４２が弾性復帰して、係止部４７が係止受け部２８に係止した状態になるとともに、ストッパ部４４が上枠部３２の上面に係止した状態になる。これにより、電線保持部材４０は、上下方向の移動が制限され、組付部２４に対して正規の組み付け状態に保持される。このとき、コネクタＣを下方から見ると、図１０に示すように、係止受け部２８に係止した状態の係止部４７を、覆壁部２６の内側に見ることができるので、電線保持部材４０の組み付け作業が完了したことを知ることができる。また、弾性復帰した係止アーム４２は、図１１に示すように、端子収容部２２の側面に沿って外壁部２５の内側に収容されているから、係止アーム４２に異物が接触することを防ぐことができる。
以上により、電線保持部材４０をハウジング２０に組み付ける作業が完了する。
【００３９】
次に、上記のように構成された実施例１の作用および効果について説明する。
本実施例１のコネクタＣは、電線Ｗの端末部に接続された端子金具１０が収容されるキャビティ２１を有するハウジング２０と、ハウジング２０の上面側に組み付けられて電線Ｗの動きを抑制する電線保持部材４０と、を有している。電線保持部材４０は、キャビティ２１を幅方向に横切る本体部４１と、本体部４１からハウジング２０への組み付け方向に延出する一対の係止アーム４２と、を有し、一対の係止アーム４２の内側には、ハウジング２０の下側に係止する係止部４７が突出して設けられている。この構成によれば、電線保持部材４０の係止部４７がハウジング２０の下面に係止するから、電線保持部材４０とハウジング２０との係止状態を視認しやすい。また、係止部４７が一対の係止アーム４２の内側に突出しているから、電線保持部材４０の本体部４１に組み付け方向と逆向きの力が加わって一対の係止アーム４２が内側へ変位しても、係止部４７が外れる虞が無い。したがって、本実施例のコネクタＣによれば、電線保持部材４０とハウジング２０との係止状態を容易に確認することができ、またハウジング２０に対する電線保持部材４０の係止力を向上することができる。
【００４０】
また、一対の係止アーム４２が、ハウジング２０への組み付け途中では外側に弾性撓みし、組み付け完了時には内側に弾性復帰するものとされ、ハウジング２０が、係止アーム４２の弾性撓みを許容する撓み許容窓３１を有して、係止アーム４２の外側に位置する外壁部２５を備えている。この構成によれば、電線保持部材４０の組み付け途中には係止アーム４２が撓み許容窓３１に入って弾性撓みし、組み付け完了時には係止アーム４２が弾性復帰して外壁部２５の内側に位置するから、係止アーム４２が外側に剥き出しになることを防ぐことができる。
【００４１】
また、ハウジング２０が、電線保持部材４０の組み付け途中においては係止部４７を下面側から覆い、電線保持部材４０の組み付け完了時においては係止部４７を下面側に開放する覆壁部２６を有している。この構成によれば、電線保持部材４０の組み付け途中では係止部４７が覆壁部２６に隠れ、組み付け完了時には係止部４７が覆壁部２６に隠れないで下面側から見えるから、係止部４７が下面側から見えるか否かで、係止部４７の係止状態を容易に確認することができる。
【００４２】
＜実施例２＞
次に、本発明を具体化した実施例２に係るコネクタ５０を図１２によって説明する。
本実施例のコネクタ５０は、キャビティ２１のうち電線保持部材４０と対向する面（下面）に凹凸形状をなす凹凸部５１を有している点で、実施例１とは相違する。なお、実施例１と同様の構成には同一符号を付して重複する説明を省略する。
【００４３】
本実施例に係るコネクタ５０は、実施例１と同様に、電線Ｗの端末部に接続された端子金具１０が収容されるキャビティ２１を有するハウジング２０と、ハウジング２０の上面側に組み付けられて電線Ｗの動きを抑制する電線保持部材４０と、を有し、電線保持部材４０が、キャビティ２１を幅方向に横切る本体部４１と、本体部４１からハウジング２０への組み付け方向に延出する一対の係止アーム４２と、を有し、一対の係止アーム４２の内側に、ハウジング２０の下面側に係止する係止部４７が突出して設けられている。
【００４４】
キャビティ２１の下面には、凹凸部５１が形成されている。凹凸部５１は、前後方向に延びる複数の突部５２と溝部５３とを有している。突部５２と溝部５３とは、キャビティ２１の幅方向に交互に連続して並んでいる。凹凸部５１は、各キャビティ２１の幅全体にわたって形成されている。突部５２は、先端が尖った略三角形断面を有している。複数の突部５２は、同形状をなしている。突部５２および溝部５３は、少なくとも電線保持部材４０の下方に位置する部分（押え部４５と対向する部分）からキャビティ２１の後端まで連続して延びた形態をなしている。
【００４５】
以上のように本実施例においては、実施例１と同様、電線保持部材４０の係止部４７がハウジング２０の下面に係止するから、電線保持部材４０とハウジング２０との係止状態を視認しやすく、また、係止部４７が一対の係止アーム４２の内側に突出しているから、電線保持部材４０の本体部４１に組み付け方向と逆向きの力が加わって係止アーム４２が内側へ変位しても、係止部４７が外れる虞が無い。さらに、キャビティ２１の下面に凹凸部５１が設けられているから、凹凸部５１の突部５２が電線Ｗの絶縁被覆に食い込んだ状態になるので、電線Ｗの動きをより確実に抑制することができる。
【００４６】
＜実施例３＞
次に、本発明を具体化した実施例３に係るコネクタ６０を図１３によって説明する。
本実施例のコネクタ６０は、キャビティ２１のうち電線保持部材４０と対向する面（下面）に凹凸形状をなす凹凸部６１を有している点で、実施例１とは相違する。なお、実施例１と同様の構成には同一符号を付して重複する説明を省略する。
【００４７】
本実施例に係るコネクタ６０は、実施例１と同様に、電線Ｗの端末部に接続された端子金具１０が収容されるキャビティ２１を有するハウジング２０と、ハウジング２０の上面側に組み付けられて電線Ｗの動きを抑制する電線保持部材４０と、を有し、電線保持部材４０が、キャビティ２１を幅方向に横切る本体部４１と、本体部４１からハウジング２０への組み付け方向に延出する一対の係止アーム４２と、を有し、一対の係止アーム４２の内側に、ハウジング２０の下面側に係止する係止部４７が突出して設けられている。
【００４８】
キャビティ２１の下面には、凹凸部６１が形成されている。凹凸部６１は、幅方向に延びる複数の突部６２と溝部６３とを有している。突部６２と溝部６３とは、キャビティ２１の前後方向に交互に連続して並んでいる。突部６２は、先端が尖った略三角形断面を有している。複数の突部６２は、同形状をなしている。凹凸部６１は、各キャビティ２１の幅全体にわたって形成されている。凹凸部６１は、キャビティ２１の下面のうち少なくとも電線保持部材４０の下方に位置する部分（押え部４５と対向する部分）に形成されている。
【００４９】
以上のように本実施例においては、実施例１と同様、電線保持部材４０の係止部４７がハウジング２０の下面に係止するから、電線保持部材４０とハウジング２０との係止状態を視認しやすく、また、係止部４７が一対の係止アーム４２の内側に突出しているから、電線保持部材４０の本体部４１に組み付け方向と逆向きの力が加わって係止アーム４２が内側へ変位しても、係止部４７が外れる虞が無い。さらに、キャビティ２１の下面に凹凸部６１が設けられているから、凹凸部６１の突部６２が電線Ｗの絶縁被覆に食い込んだ状態になるので、電線Ｗの動きをより確実に抑制することができる。
【００５０】
＜実施例４＞
次に、本発明を具体化した実施例４に係るコネクタ７０を図１４によって説明する。
本実施例のコネクタ７０は、本体部４１のうちキャビティ２１に臨む面（下面）に弾性部７１を有している点で、実施例１とは相違する。なお、実施例１と同様の構成には同一符号を付して重複する説明を省略する。
【００５１】
本実施例に係るコネクタ７０は、実施例１と同様に、電線Ｗの端末部に接続された端子金具１０が収容されるキャビティ２１を有するハウジング２０と、ハウジング２０の上面側に組み付けられて電線Ｗの動きを抑制する電線保持部材４０と、を有し、電線保持部材４０が、キャビティ２１を幅方向に横切る本体部４１と、本体部４１からハウジング２０への組み付け方向に延出する一対の係止アーム４２と、を有し、一対の係止アーム４２の内側に、ハウジング２０の下面側に係止する係止部４７が突出して設けられている。
【００５２】
電線保持部材４０の本体部４１の下面には、弾性部７１が設けられている。弾性部７１は、良好な弾性を有するゴム材（弾性素材）によって形成され、二色成形あるいは接着等の手段によって電線保持部材４０の本体部４１と一体化が図られている。弾性部７１は、電線Ｗを押さえる押え部７２を有している。押え部７２は、実施例１と同様、各キャビティ２１と個別に対応して複数が下向きに突出形成されている。押え部７２の下面は、実施例１と同様、押圧部４６が設けられていてもよいし、押圧部４６が設けられずに平坦な面とされていてもよい。
【００５３】
以上のように本実施例においては、実施例１と同様、電線保持部材４０の係止部４７がハウジング２０の下面に係止するから、電線保持部材４０とハウジング２０との係止状態を視認しやすく、また、係止部４７が一対の係止アーム４２の内側に突出しているから、電線保持部材４０の本体部４１に組み付け方向と逆向きの力が加わって係止アーム４２が内側へ変位しても、係止部４７が外れる虞が無い。さらに、本体部４１の下面に弾性部７１が設けられているから、弾性部７１が強い摩擦力を生じることによって、電線Ｗの動きをより確実に抑制することができる。加えて、弾性部７１は、電線Ｗを抑え込む際に電線Ｗに食い込まないので、電線Ｗが損傷することを防ぐことができる。
【００５４】
＜実施例５＞
次に、本発明を具体化した実施例５に係るコネクタ８０を図１５によって説明する。
本実施例のコネクタ８０は、押え部８１の下面が、電線Ｗを包み込むような形状になっている点で、実施例１とは相違する。なお、実施例１と同様の構成には同一符号を付して重複する説明を省略する。
【００５５】
本実施例に係るコネクタ８０は、実施例１と同様に、電線Ｗの端末部に接続された端子金具１０が収容されるキャビティ２１を有するハウジング２０と、ハウジング２０の上面側に組み付けられて電線Ｗの動きを抑制する電線保持部材４０と、を有し、電線保持部材４０が、キャビティ２１を幅方向に横切る本体部４１と、本体部４１からハウジング２０への組み付け方向に延出する一対の係止アーム４２と、を有し、一対の係止アーム４２の内側に、ハウジング２０の下面側に係止する係止部４７が突出して設けられている。
【００５６】
本体部４１の下面には、実施例１と同様、電線Ｗを押さえる押え部８１が設けられている。押え部８１は、各キャビティ２１と個別に対応して複数が本体部４１の下面に突出形成されている。
【００５７】
各押え部８１の下面は、電線Ｗを包み込むような形状に形成されている。押え部８１の下面には、幅方向の中心から端に向かって次第に下がる（下方への突出寸法が増す）一対の傾斜面８２が形成されている。一対の傾斜面８２は、押え部８１の幅方向における中心を基準にして左右対称な形状をなしている。電線保持部材４０をハウジング２０に組み付けた状態では、押え部８１の各傾斜面８２が電線Ｗに接触し、電線Ｗを左右から押さえ込んだ状態になる。
【００５８】
以上のように本実施例においては、実施例１と同様、電線保持部材４０の係止部４７がハウジング２０の下面に係止するから、電線保持部材４０とハウジング２０との係止状態を視認しやすく、また、係止部４７が一対の係止アーム４２の内側に突出しているから、電線保持部材４０の本体部４１に組み付け方向と逆向きの力が加わって係止アーム４２が内側へ変位しても、係止部４７が外れる虞が無い。さらに、押え部８１の下面が、電線Ｗを包み込むような形状になっているから、幅方向の２点で電線Ｗを抑え込むことによって、電線Ｗの動きをより確実に抑制することができる。
【００５９】
＜他の実施例＞
本発明は上記記述及び図面によって説明した実施例に限定されるものではなく、例えば次のような実施例も本発明の技術的範囲に含まれる。
（１）上記実施例では、ハウジング２０が、係止アーム４２の外側に位置する外壁部２５を備えているが、必ずしも外壁部を備えなくてもよい。
（２）上記実施例では、ハウジング２０が、係止アーム４２の下側に位置する覆壁部２６を有しているが、必ずしも覆壁部を備えなくてもよい。
（３）上記実施例では、ハウジング２０に複数室のキャビティ２１が備えられているが、これに限らず、ハウジングは、一のキャビティのみを有するものであってもよい。
【符号の説明】
【００６０】
Ｃ，５０，６０，７０，８０…コネクタ
Ｗ…電線
１０…端子金具
２０…ハウジング
２１…キャビティ
２４…組付部
２５…外壁部
２６…覆壁部
３１…撓み許容窓
４０…電線保持部材
４１…本体部
４２…係止アーム
４７…係止部
５１，６１…凹凸部
７１…弾性部
８１…押え部
【図１】
0006540567.tif 000002
【図２】
0006540567.tif 000003
【図３】
0006540567.tif 000004
【図４】
0006540567.tif 000005
【図５】
0006540567.tif 000006
【図６】
0006540567.tif 000007
【図７】
0006540567.tif 000008
【図８】
0006540567.tif 000009
【図９】
0006540567.tif 000010
【図１０】
0006540567.tif 000011
【図１１】
0006540567.tif 000012
【図１２】
0006540567.tif 000013
【図１３】
0006540567.tif 000014
【図１４】
0006540567.tif 000015
【図１５】
0006540567.tif 000016